(57)【要約】【課題】初期開封時や再開閉時において、袋体の開閉操作が簡単に行え、手間が掛からず、しかも必要とする分量の内容物を取り出し易くした包装用袋を提供する。【解決手段】袋本体１の上端から上方に突出する注出部２を設けたものとし、袋本体１は、上部をヒートシールして密着上部５を形成し、この密着上部５には、注出部２を折り曲げて挿入して係止させるためのスリット６が設けられている。【選択図】図１
2018047912.tif 000002
【特許請求の範囲】
【請求項１】
袋本体（１）の上端から上方に突出する注出部（２）を設けたものとし、袋本体（１）は、上部をヒートシールして密着上部（５）を形成し、この密着上部（５）には、注出部（２）を折り曲げて挿入して係止させるためのスリット（６）が設けられていることを特徴とする包装用袋。
【請求項２】
前記袋本体（１）は、一側端にＶ字状折り込んだガゼット部（３）を形成しており、前記注出部（２）は、一側端に、袋本体（１）の一側端に続いてＶ字状折り込んだガゼット部（３）を形成していることを特徴とする請求項１記載の包装用袋。
【請求項３】
前記注出部（２）は、袋本体（１）の上端の一側端寄りに設けられ、前記スリット（６）は、袋本体（１）の上部の他側端寄りに設けられると共に、前記注出部（２）を折り曲げて挿入できるように袋本体（１）の縦方向に一条または複数条設けられていることを特徴とする請求項１記載の包装用袋。
【請求項４】
前記注出部（２）は、上端に前記スリット（６）との係止部（７）が設けられていることを特徴とする請求項１記載の包装用袋。
【発明の詳細な説明】
【技術分野】
【０００１】
この発明は、ふりかけ、調味料、粉末茶、粉ミルク、粉セッケンなどの粉粒体の収納に適した合成樹脂製の包装用袋に関するものである。
【背景技術】
【０００２】
従来、この種の包装用袋としては、合成樹脂製の袋体の上端両側に初期開封用の切欠き部を設け、この切欠き部の少し下方に開閉用ファスナー部をその袋体の両側に亙って設けたものが存在する（特許文献１および非特許文献１、２）。
【０００３】
このような構成とした従来の包装用袋は、初期開封時には、この袋体の上端両側の一側の切欠き部から他側の切欠き部に向かって切り裂くことにより袋体の上端部を開封し、さらにその開封した袋体の上端表裏面を摘んで、表裏方向に引っ張ることにより開閉用ファスナー部を開いて袋体を開口し、袋体を傾けて、粉末食品などの内容物の一部を取り出していた。
【０００４】
そして、上記従来の包装用袋では、残りの内容物が袋体からこぼれ出ないように、袋体の表裏面から開閉用ファスナー部の一側端から他側端までを押圧することにより、そのファスナー部を塞いで袋体を閉口していた。
【０００５】
さらに、上記従来の包装用袋は、残りの内容物を取り出すなどの再開封時には、袋体の上端表裏面を摘んで、表裏方向に引っ張ることにより開閉用ファスナー部を再び開いて袋体を開口し、粉末食品などの内容物を取り出していた。
【０００６】
そして、上記従来の包装用袋では、内容物が未だ残っている場合には、その内容物が袋体からこぼれ出ないように、再び袋体の表裏面から開閉用ファスナー部の一側端から他側端までを押圧することにより、そのファスナー部を塞いで袋体を閉口していた。
【先行技術文献】
【特許文献】
【０００７】
【特許文献１】特開２００２−３０２１３０号公報
【非特許文献１】ふりかけ袋入りシリーズ  のりたま  大袋（丸美屋食品工業株式会社）〔平成２８年８月１８日検索〕、インターネット＜https://www.marumiya.co.jp/cms/web/viewitem/4407/1＞
【非特許文献２】袋入りふりかけ（田中食品株式会社）〔平成２８年８月１８日検索〕、インターネット＜http://www.tanaka-foods.co.jp/products/furikake1.html ＞
【発明の概要】
【発明が解決しようとする課題】
【０００８】
しかしながら、上記従来の包装用袋は、初期開封時には、この袋体の上端両側の一側の切欠き部から他側の切欠き部に向かって袋体を切り裂き、さらに開閉用ファスナー部を開く必要があり、この作業に手間が掛かったり、面倒であるという課題を有していた。
【０００９】
さらに、上記従来の包装用袋は、再開封時においても、袋体の上端表裏面を摘んで、表裏方向に引っ張ることにより開閉用ファスナー部を再び開かなければならず、この作業に手間が掛かったり、面倒であるという課題を有していた。
【００１０】
また、上記従来の包装用袋は、袋体を傾けて粉末食品などの内容物を取り出すときに、その内容物が開閉用ファスナー部に溜まったり詰まったりしてしまうので、袋体の表裏面から開閉用ファスナー部の一側端から他側端までを押圧して袋体を塞ごうとしたときに、その開閉用ファスナー部を塞ぐことができず、開閉用ファスナー部に溜まったり詰まった内容物を取り除かなければならず、袋体を閉口する作業が非常に面倒で、手間が掛かるという課題を有していた。
【００１１】
さらに、上記従来の包装用袋は、袋体を傾けて粉末食品などの内容物を取り出すときに、袋体の上端全体が開口しているので、袋体を傾け過ぎると内容物が一度に出てしまい、必要とする分量の内容物を取り出し難いという課題を有していた。
【００１２】
そこで、この発明は、上記従来の課題を解決するものであり、初期開封時や再開閉時において、袋体の開閉操作が簡単に行え、手間が掛からず、しかも必要とする分量の内容物を取り出し易くした包装用袋を提供することを目的としてなされたものである。
【課題を解決するための手段】
【００１３】
この発明の包装用袋は、袋本体１の上端から上方に突出する注出部２を設けたものとし、袋本体１は、上部をヒートシールして密着上部５を形成し、この密着上部５には、注出部２を折り曲げて挿入して係止させるためのスリット６が設けられている。
【００１４】
この発明の包装用袋において、前記袋本体１は、一側端にＶ字状折り込んだガゼット部３を形成しており、前記注出部２は、一側端に、袋本体１の一側端に続いてＶ字状折り込んだガゼット部３を形成している。
【００１５】
この発明の包装用袋において、前記注出部２は、袋本体１の上端の一側端寄りに設けられ、前記スリット６は、袋本体１の上部の他側端寄りに設けられると共に、前記注出部２を折り曲げて挿入できるように袋本体１の縦方向に一条または複数条設けられている。
【００１６】
この発明の包装用袋において、前記注出部２は、上端に前記スリット６との係止部７が設けられている
【発明の効果】
【００１７】
この発明の包装用袋は、以上に述べたような構成としているので、初期開封時や再開閉時において、面倒な開閉操作を必要としないものとなり、また内容物が溜まったり詰まったりすることなく、袋体の開閉操作が簡単に行え、手間が掛からないものとなった。
【００１８】
さらに、この発明の包装用袋は、袋体の上端全体を開口することなく、一部のみを開口したものとしているので、袋体を傾け過ぎても内容物が一度に出てしまうことがなく、少しずつ出すことができ、必要とする分量の内容物が取り出し易いものとなった。
【図面の簡単な説明】
【００１９】
【図１】この発明の包装用袋の一実施形態を示す斜視図である。
【図２】図１に示すこの発明の包装用袋の正面図である。
【図３】図１に示すこの発明の包装用袋の注出部を開口した状態を示す正面図である。
【図４】図１に示すこの発明の包装用袋の注出部を折り曲げて、袋本体に重ね合わせた状態を示す説明図である。
【図５】図１に示すこの発明の包装用袋の注出部を折り曲げて、袋本体の係合部に係合させた状態を示す説明図である。
【図６】この発明の包装用袋の他の実施形態を示す正面図である。
【図７】図６に示すこの発明の包装用袋の注出部を開口した状態を示す正面図である。
【図８】図６に示すこの発明の包装用袋の注出部を折り曲げて、袋本体に重ね合わせた状態を示す説明図である。
【図９】図６に示すこの発明の包装用袋の注出部を折り曲げて、袋本体の係合部に係合させた状態を示す説明図である。
【発明を実施するための形態】
【００２０】
以下、この発明の包装用袋を実施するための形態を、図面に基づいて詳細に説明する。
【００２１】
この発明の包装用袋は、図１、２、６に示したように、粉末食品などを収納する袋本体１の上端から上方に突出する注出部２を設けたものとしている。
【００２２】
袋本体１は、合成樹脂製フィルムが重ね合わされ、一側端にＶ字状折り込んだガゼット部３を形成しており、他側端と上下端をヒートシールして密着端部４を形成している。注出部２は、袋本体１の一側端寄りに設けられており、この注出部２の一側端に、袋本体１の一側端に続いてＶ字状折り込んだガゼット部３を形成しており、他側端と上端をヒートシールして密着端部４を形成している。なお、袋本体１の一側端や注出部２の一側端には、Ｖ字状折り込んだガゼット部３を形成したものとしているが、このガゼット部３は注出部２の一側端にのみ形成してもよく、また袋本体１の一側端や注出部２の一側端ともにガゼット部３を形成することなく、単に折り畳んだものとしてもよい。
【００２３】
また、袋本体１や注出部２は、前記したように一側端にガゼット部３を形成したり、両側端や上下端をヒートシールして密着端部４を形成したものとしているが、このような構造としたものに限定されることはない。
【００２４】
袋本体１の内部には、ふりかけ、調味料、粉末茶、粉末ミルク、粉セッケンなどの粉粒体とした内容物Ｐを収納するのに適しているが、内容物Ｐは必ずしも粉粒体に限定されることはない。袋本体１の内部に内容物Ｐを収納するには、袋本体１の下端を未シール状態にしておき、この袋本体１の下端から内容物Ｐを収納した後に、その下端をヒートシールして密着端部４を形成したり、注出部２の上端を未シール状態にしておき、この注出部２の上端から内容物Ｐを収納した後に、その上端をヒートシールして密着端部４を形成すればよい。
【００２５】
さらに、袋本体１は、注出部２が設けられていないもう一側端の上部をヒートシールして密着上部５を形成している。そして、この密着上部５には、注出部２を挿入して係止させるためのスリット６が設けられている。
【００２６】
注出部２は、上端に切り口（図示せず）やミシン目（図示せず）を必要に応じて設けており、これら切り口やミシン目を引き裂くか、上端をハサミ等で切り取ることにより、この注出部２の上端を開口するようにしている。さらに、注出部２の上端には、スリット６との係止部７が設けられている。また、この注出部２の下端から袋本体１にかけて、この注出部２の折曲げ位置を示す線などの目印（図示せず）を設けておくことができる。
【００２７】
スリット６は、注出部２を折り曲げて挿入できるように袋本体１の縦方向に設けられている。このスリット６は、図１、２に示したものでは一条にしているが、図６に示したような二条にしたり、図示していないが三条以上にしてもよい。
【００２８】
係止部７は、注出部２の一側部を切欠くことにより設けたものとしているが、注出部２の一側部から突出させることにより設けたものとしてもよい。
【００２９】
この発明の包装用袋は、例えば、袋本体１の外形を縦長の略長方形状に形成し、注出部２の外形も縦長の略長方形状に形成することができ、袋本体１の縦寸法と注出部２の縦寸法の割合を１０：１〜３、袋本体１の横寸法と注出部２の横寸法の割合を１０：３〜５とするのが好ましいが、このような比率に限定されることはない。
【００３０】
なお、図示した包装用袋は、注出部２を折り曲げたときに袋本体１の上側になる注出部２一側端を傾斜させたものとして、この注出部２が袋本体１に内方に納まり易くしているが、必ずしも傾斜させる必要はない。
【００３１】
以上のように構成されたこの発明の包装用袋において、内容物Ｐを取り出すには、先ず注出部２の上端をハサミなどで切断して、図３、７に示したように、この注出部２の上端を開口する。注出部２の上端に切り口やミシン目を設けたものは、これら切り口やミシン目を引き裂いて、この上端を同様に開口する。
【００３２】
次に、この包装用袋を倒立させれば、包装用袋から内容物Ｐを取り出すことができる。また、この包装用袋を徐々に傾けていけば、包装用袋から内容物Ｐを徐々に取り出すことができる。この場合、袋本体１や注出部２の一側端にＶ字状折り込んだガゼット部３を形成したものでは、このガゼット部３に沿って内容物Ｐが徐々に出ていくので、取り出す量の調節がし易くなる。
【００３３】
そして、包装用袋から所定量の内容物Ｐを取り出した後は、包装用袋を正立させ、注出部２を袋本体１方向に折り曲げ、図４、８に示したように、この注出部２の上端を袋本体１の密着上部５に設けられスリット６に重ね合わせる。この場合、注出部２の折曲げ位置を示す線などの目印を設けたものでは、この目印から袋本体１方向に注出部２を折り曲げ、その注出部２の上端をスリット６に重ね合わせる。
【００３４】
さらに、スリット５に重ね合わせた注出部２の上端を指で少し引き戻して、図５に示したように、注出部２の上端をそのスリット６に差し込んだり、図９に示したように、手前のスリット６に差し込み、先のスリット６から抜き出すというようすればよい。また、スリット６を三条以上、設けたものでは、一番手前のスリット６に差し込み、その先のスリット６から抜き出すというような操作を繰り返せばよい。なお、スリット６を二条以上、設けたものでは、前記したような差し込み方をすることなく、任意の一条のスリット６に注出部２の上端を差し込んでもよい。
【００３５】
そして、このような操作後に指を離せば、注出部２が自然と少し引き戻され、注出部２の係止部７がスリット６の上端に係止され、注出部２は、袋本体１に折り重なったままの状態となり、包装用袋を倒立させた状態にしても、注出部２の開口から内容物Ｐがこぼれ出ないものとなる。
【００３６】
また、この発明の包装用袋から残りの内容物Ｐを取り出すには、袋本体１に折り重なった注出部２を指で摘んで捲り上げれば、スリット６の上端に係止された係止部７が外れ、注出部２を起こすことができるので、その状態で包装用袋を倒立させたり、徐々に傾けていけば、包装用袋から内容物Ｐを取り出すことができる。
【００３７】
そして、包装用袋から所定量の内容物Ｐを取り出した後は、前記したのと同様に操作によって、注出部２を袋本体１に折り重なったままの状態にしておけば、包装用袋を倒立させた状態にしても、注出部２の開口から内容物がＰこぼれ出ないものとなる。
【００３８】
以上に述べたように、この発明の包装用袋は、初期開封時や再開閉時において、面倒な開閉操作を必要とせず、内容物を取り出したり、その内容物をこぼれ出ないようにして保存しておくことができるものとなった。
【００３９】
さらに、この発明の包装用袋は、内容物が開閉用ファスナー部などの袋の構成部分に溜まったり詰まったりすることがないので、開閉操作が簡単に行え、手間が掛からないものとなった。
【００４０】
また、この発明の包装用袋は、袋体の上端全体を開口することなく、一部のみを開口したものとしているので、袋体を傾け過ぎても内容物が一度に出てしまうことがなく、少しずつ出すことができ、必要とする分量の内容物が取り出し易いものとなった。
【符号の説明】
【００４１】
１  袋本体
２  注出部
３  ガゼット部
５  密着上部
６  スリット
７  係止部
【図１】
2018047912.tif 000003
【図２】
2018047912.tif 000004
【図３】
2018047912.tif 000005
【図４】
2018047912.tif 000006
【図５】
2018047912.tif 000007
【図６】
2018047912.tif 000008
【図７】
2018047912.tif 000009
【図８】
2018047912.tif 000010
【図９】
2018047912.tif 000011